(57)【要約】【課題】  本発明は、正確な施錠情報を書込可能な錠情報書込装置を提供することを目的とする。【解決手段】  鍵の操作に応じたロック部の動作により施錠又は開錠が行われる開閉機構に取り付けられる施錠情報書込装置であって、前記ロック部による開閉機構の施錠状態、施錠時間または開錠時間のいずれか、あるいはそれらの組み合わせである施錠情報を検出する検出手段と、検出された施錠情報を非接触型の記憶手段に書き込む書込手段と、  を含むことを特徴とする、施錠情報書込装置を提供する。【選択図】      図３
2007002449.tif 000002
【特許請求の範囲】
【請求項１】
鍵の操作に応じたロック部の動作により施錠又は開錠が行われる開閉機構に取り付けられる施錠情報書込装置であって、
前記ロック部による開閉機構の施錠状態、施錠時間または開錠時間のいずれか、あるいはそれらの組み合わせである施錠情報を検出する検出手段と、
検出された施錠情報を非接触型の記憶手段に書き込む書込手段と、
を含むことを特徴とする、施錠情報書込装置。
【請求項２】
前記検出部は、
前記ロック部と連動する磁石と、
前記磁石を囲むコイルとを有し、
前記ロック部の動作に連動して前記磁石が前記コイル内を移動することにより生じる電気的な変位を検出することにより施錠又は開錠の状態を検出することを特徴とする、請求項１に記載の施錠情報書込装置。
【請求項３】
前記非接触型の記憶手段は、前記鍵に取り付けられていることを特徴とする、請求項１に記載の施錠情報書込装置。
【請求項４】
鍵の操作に応じたロック部の動作により施錠又は開錠が行われる開閉機構に取り付けられる施錠情報書込装置における施錠情報書込方法であって、
前記ロック部による開閉機構の施錠状態、施錠時間または開錠時間のいずれか、あるいはそれらの組み合わせである施錠情報を検出する検出ステップと、
検出された施錠情報を非接触型の記憶手段に書き込む書込ステップと、
を含むことを特徴とする、施錠情報書込方法。
【請求項５】
鍵の操作に応じたロック部の動作により施錠又は開錠が行われる開閉機構に取り付けられる施錠情報書込装置と、前記開閉機構の施錠情報を記憶する非接触型の記憶装置とを含む施錠情報書込システムであって、
前記施錠情報書込装置は、
前記ロック部による開閉機構の施錠状態、施錠時間または開錠時間のいずれか、あるいはそれらの組み合わせである施錠情報を検出する検出手段と、
検出された施錠情報を非接触型の記憶装置に書き込む書込手段と有することを特徴とする、施錠情報書込システム。
【発明の詳細な説明】
【技術分野】
【０００１】
本発明は、玄関などの扉の施錠情報を書込可能な施錠情報書込装置に関する。
【背景技術】
【０００２】
人は外出した際、玄関等の施錠を忘れたのではないかというような不安にかられることがあり、場合によっては、不安感をもったまま目的地へ行かなければならないことがある。従来から、このような施錠忘れに関する不安感は知られており、それを解決するための手段として、鍵を収納可能なケースを用いて施錠確認を行う方法が提案されている（例えば、特許文献１参照）。
【０００３】
図１６は、前記特許文献１に記載された鍵収納ケースの概要を示す図である。図１６において、鍵収納ケース１０は、上ケース１１、下ケース１２、表示部１３、キーホルダ部１４、各種ボタン１５から構成される。また、前記鍵収納ケース１０は、図示しない施錠、開錠操作時における音を検出する施錠音センサ、鍵のキーホルダ部への出し入れを検出する鍵出し入れセンサ、また、ケースの蓋の開閉を検出する蓋開閉センサを備えている。ここで、鍵１は、鍵収納ケース１０のキーホルダ部１４に収納される。
【０００４】
外出の際、利用者は鍵１を用いて施錠を行った後、前記鍵収納ケース１０のキーホルダ部１４へ鍵１を差し込む。鍵収納ケース１０では、上記３つのセンサを用いて利用者の施錠動作を検出し、その時刻を内部に保持する。その後、外出先などで利用者が施錠確認を行う際には、記録した施錠時刻を前記表示部１３に表示する。
【特許文献１】特許第３３１２９００号明細書
【発明の開示】
【発明が解決しようとする課題】
【０００５】
しかしながら、前記従来の構成では、鍵１が収納ケース１０から抜け落ちた場合などであってもその時刻が表示部１３に表示されてしまうため、表示部１３に表示された時刻が必ずしも施錠・解錠の時刻でない場合がある。よって、鍵１の保有者が正確な施錠・開錠時刻を把握できない。また、鍵１の保有者は外出時に、前記鍵収納ケース１０を常に携帯する必要があり、持ち運びに不便である。また、施錠、開錠時において、鍵１を鍵収納ケース１０から抜き差しする操作が必要となるため、利用者にとって煩わしさがある。
【０００６】
そこで、本発明は、前記従来の課題を解決するもので、正確な施錠情報を書込可能な施錠情報書込装置、施錠情報書込方法及び施錠情報書込システムを提供することを目的とする。ことを目的とする。
【課題を解決するための手段】
【０００７】
本願第１発明は、上記の課題を解決するために、鍵の操作に応じたロック部の動作により施錠又は開錠が行われる開閉機構に取り付けられる施錠情報書込装置であって、前記ロック部による開閉機構の施錠状態、施錠時間または開錠時間のいずれか、あるいはそれらの組み合わせである施錠情報を検出する検出手段と、検出された施錠情報を非接触型の記憶手段に書き込む書込手段と、を含むことを特徴とする施錠情報書込装置を提供する。
【０００８】
開閉機構は例えば玄関の扉であり、上記施錠情報書込装置はこの扉に取り付けられる。家人が所有する鍵には施錠情報が書き込まれる非接触型の記憶手段がある。ここで、家人が鍵をロック部に差し込んで操作することにより扉を施錠すると、検出手段は扉が施錠された施錠時間、扉が施錠されたことを検出する。次に、書込手段はこの施錠時間及び施錠状態を含む施錠情報を鍵の記憶手段に送信し書き込む。よって、家人は、鍵に取り付けられた記憶手段に例えば携帯電話などでアクセスすることにより施錠情報を取得することができる。これにより、家人は出先においても扉の施錠状態を確認することができる。また、検出手段はロック部の作動に基づいて扉の施錠又は開錠状態を検出するため、家人は扉の施錠または開錠を正確に把握することができる。
【０００９】
なお、記憶手段に施錠時間だけでなく施錠状態が書き込むと、ユーザは扉の施錠状態を確実に把握することができる。例えば、短時間の間に複数回の施錠及び開錠を行った場合には、時間だけでは最終の施錠状態が不明になる場合がある。記憶手段が、扉が施錠されているのか開錠されているのかを記憶していることで、ユーザは現在の扉の施錠状態を正確に把握することができる。
【００１０】
本願第２発明は、第１発明において、前記検出部は、前記ロック部と連動する磁石と、前記磁石を囲むコイルとを有し、前記ロック部の動作に連動して前記磁石が前記コイル内を移動することにより生じる電気的な変位を検出することにより施錠又は開錠の状態を検出することを特徴とする施錠情報書込装置を提供する。
【００１１】
電気的な変位とは、例えば誘導電流や誘導電圧である。ロック部による施錠及び開錠により磁石がコイル内を移動して電気的な変位が発生する。検出部は、この電気的変位の発生時間により施錠又は開錠された時間を検出することができる。また、施錠と開錠とにおける磁石の移動方向が異なる場合には、発生する電気的変位の正負が異なる。検出部は、この正負に基づいて施錠又は開錠のいずれかであるかを検出することができる。
【００１２】
本願第３発明は、第１発明において、前記非接触型の記憶手段は、前記鍵に取り付けられていることを特徴とする施錠情報書込装置を提供する。
【００１３】
本願第４発明は、鍵の操作に応じたロック部の動作により施錠又は開錠が行われる開閉機構に取り付けられる施錠情報書込装置における施錠情報書込方法であって、前記ロック部による開閉機構の施錠状態、施錠時間または開錠時間のいずれか、あるいはそれらの組み合わせである施錠情報を検出する検出ステップと、検出された施錠情報を非接触型の記憶手段に書き込む書込ステップと、を含むことを特徴とする施錠情報書込方法を提供する。本願第４発明は、本願第１発明と同様の作用効果を得ることができる。
【００１４】
本願第５発明は、鍵の操作に応じたロック部の動作により施錠又は開錠が行われる開閉機構に取り付けられる施錠情報書込装置と、前記開閉機構の施錠情報を記憶する非接触型の記憶装置とを含む施錠情報書込システムであって、前記施錠情報書込装置は、前記ロック部による開閉機構の施錠状態、施錠時間または開錠時間のいずれか、あるいはそれらの組み合わせである施錠情報を検出する検出手段と、検出された施錠情報を非接触型の記憶装置に書き込む書込手段と有することを特徴とする、施錠情報書込システムを提供する。
【００１５】
本願第５発明は、本願第１発明と同様の作用効果を得ることができる。また、鍵と施錠情報を記憶する記憶部とが一体であるので、鍵を操作することにより施錠情報が記憶部に必ず書き込まれる。よって、ユーザは、記憶部と鍵とを常に一緒に持ち歩くという注意を払う必要が無く、またユーザの不注意により記憶部のみを忘れるということが無い。鍵の記憶部は、例えば非接触型の記憶装置であり、ＩＣタグやＩＣタグ機能付きの電子ペーパであり得る。記憶部がＩＣタグである場合には、ＩＣタグリーダによりＩＣタグ内の施錠情報を読み取ることができる。よって、電話回線などの回線を使った通信を行うこと無く施錠情報を読み取ることが可能である。
【発明の効果】
【００１６】
本発明の施錠情報書込装置では、ロック部の動作状態に基づいて扉の施錠又は開錠状態を検出するため、家人は扉の施錠または開錠を正確に把握することができる。
【発明を実施するための最良の形態】
【００１７】
＜第１実施形態例＞
（構成）
図１は、本発明の第１実施形態例に係る施錠情報書込システムを説明するための説明図である。施錠情報書込システム１５０は、施錠情報書込装置１０３と非接触型の記憶装置１０２とを含む。ここで、施錠情報書込装置１０３は開閉機構である扉１０４に取り付けられており、扉１０４は利用者が鍵１０１を操作することにより施錠又は開錠される。また、施錠情報書込装置１０３は、非接触型の記憶装置１０２に扉１０４の施錠情報を書き込む。非接触型の記憶装置１０２は、施錠情報書込装置１０３から受信した施錠情報を記憶する。また、非接触型の記憶装置１０２は、例えばＩＣ（Integrated Circuit）タグやＩＣタグ機能付き電子ペーパであり、鍵１０１に取り付けられている。
【００１８】
図１に示すように、非接触型の記憶装置１０２がＩＣタグである場合は、ＩＣタグに記憶された施錠情報は例えば携帯電話などのＩＣタグの読み取り装置１０５により読み出される。
【００１９】
図２は、施錠情報書込装置１０３による施錠情報の検出及び書込を説明するための説明図である。扉１０４には、鍵１０１が挿入される鍵穴である鍵結合部１１１と、施錠時に突出することによって開錠を不可にするロックバー１１３とが設けられている。また、扉１０４を支持する扉支持体１０４ａには、ロックバー１１３が係合されるロックバー係合部１１５が設けられている。
【００２０】
外出の際、利用者は鍵１０１を扉１０４の鍵結合部１１１に挿入し、回転させる。このとき、ロックバー１１３が扉１０４から突出して扉支持体１０４ａのロックバー係合部１１５に係合する。これにより、扉１０４が施錠される。扉１０４に取り付けられた施錠情報書込装置１０３は、施錠されたこと及び／又は施錠時間を検出して非接触型の記憶装置１０２に書き込む。一方、開錠の場合は、施錠情報書込装置１０３は、開錠されたこと及び／又は開錠時間を検出して書き込む。外出先において、利用者が施錠状態を確認したい場合は、ＩＣタグの検出機能を有する携帯電話などのＩＣタグの読み取り装置１０５を用いて、非接触型の記憶手段１０２に記録された情報を無線を介して取得する。取得した施錠情報が、携帯電話のディスプレイ等に表示されることにより、利用者は施錠確認を行うことが可能となる。
【００２１】
（機能構成）
図３は、施錠情報書込装置１０３の機能構成を示すブロック図である。施錠状態検出部１２１は、ロックバー１１３及びロックバー係合部１１５により扉１０４が施錠又は開錠されたか否かを検出する。時刻情報管理部１２２は、扉１０４が施錠された施錠時間または開錠された開錠時間を検出する。制御部１２３は、施錠状態検出部１２１から施錠又は開錠を示す施錠状態を取得し、時刻情報管理部１２２から施錠時間または開錠時間を取得する。制御部１２３は、これらの施錠状態と施錠又は開錠時間とを含む施錠情報を生成する。書込部１２４は、制御部１２３が生成した施錠情報を無線通信により非接触型の記憶装置１０２に送信して書き込む。
【００２２】
上記では、施錠情報は施錠状態とその時間とを含んで構成されるが、施錠状態、施錠時間または開錠時間のいずれか、あるいはそれらの組み合わせであっても良い。また、施錠情報は、最終の施錠状態や時間ではなく、一連の施錠状態又はその時刻を含む施錠履歴であっても良い。
【００２３】
書込部１２４のハードウェアは、非接触型の記憶装置１０２と無線通信が可能な送信アンテナで実現され、例えば扉１０４の外側表面に設けられる。一方、施錠状態検出部１２１、時刻情報管理部１２２及び制御部１２３の機能を実行するハードウェアは、例えば扉の内側に配置され、書込部１２４の送信アンテナと接続される。なお、書込部１２４のハードウェア及び施錠状態検出部１２１、時刻情報管理部１２２及び制御部１２３の機能を実行するハードウェアは、それらの機能を実行可能であれば、扉１０４の内側、外側又は扉の内部のいずれに設けられても良い。
【００２４】
（施錠状態検出部の具体例）
次に、施錠状態検出部１２１の具体的構成について説明する。図４は、施錠状態検出部の具体例を示す説明図である。
【００２５】
施錠状態検出部１２１は、ロックバー１１３に設けられた磁石１３１と、磁石１３１を囲むコイル１３３と、ロックバー１１３に連動して発生する電流を検出する電流検出部１３５を含む。
【００２６】
ここで、利用者における施錠又は開錠動作の検出方法について、図４を用いて説明する。利用者が鍵１０１を鍵結合部１１１に挿入して施錠動作を行うと、ロックバー１１３が突出してロックバー係合部１１５に係合する。一方、利用者が開錠動作を行うと、ロックバー１１３がロックバー係合部１１５から外れる。このような施錠又は開錠動作の際、ロックバー１１３に設けられた磁石１３１は、ロックバー１１３の動作に連動して移動する。ここで、ロックバー１１３がコイル１３３内を移動するため、磁石１３１も同様にコイル１３３内を移動する。よって、コイル１３３の周囲に磁界の変動が発生し、電磁誘導によってコイル１３３に誘導電流が発生する。電流検出部１３５が、発生した電流を検出することによって、ロックバー１１３の動作、すなわち、利用者によって施錠又は開錠動作がなされたことを検出できる。
【００２７】
なお、施錠と開錠の動作では、ロックバー１１３移動方向、つまり磁石１３１の移動方向が異なるため、磁界変動の向きが異なる。そのため、施錠又は開錠においては電磁誘導によって発生する電流の向きは互いに逆向きとなる。発生電流の向きを電流検出部１３５で検出して区別することによって、利用者の施錠動作と開錠動作とを判別可能となる。
【００２８】
なお、ロックバー１１３の移動による電気的な変位を検出できれば良く、前述の誘導電流ではなく誘導電圧を検出するようにしても良い。
【００２９】
（施錠情報の書込処理）
図５は、第１実施形態例に係る施錠情報書込装置における施錠情報の書込処理を示すフローチャートの一例である。
【００３０】
ステップＳ１１：鍵１０１が鍵結合部１１１に挿入され操作されると、扉１０４のロックバー１１３が動作して扉１０４が施錠又は開錠される。このとき、ロックバー１１３及び磁石１３１が動作することにより誘導電流が発生し、電流検出部１３５がこの誘導電流を検出する。
【００３１】
なお、施錠情報として施錠又は開錠を示す施錠状態を書き込む場合、電流検出部１３５は誘導電流の正負に基づいて施錠状態を検出する。
【００３２】
ステップＳ１３：施錠状態検出部１２１は、時刻情報管理部１２２に誘導電流の検出を通知する。時刻情報管理部１２２は、通知された時間に基づいて施錠又は開錠された時間を取得する。
【００３３】
ステップＳ１５：制御部１２３は、時刻情報管理部１２２から施錠又は開錠時間を取得し施錠情報を生成する。また、制御部１２３は、施錠状態検出部１２１から施錠状態を取得して施錠状態を含む施錠情報を生成しても良い。
【００３４】
ステップＳ１７：書込部１２４は、生成された施錠情報を非接触型の記憶装置１０２に送信して書き込む。
【００３５】
なお、制御部１２３が生成する施錠情報は、施錠状態、施錠時間または開錠時間のいずれか、あるいはそれらの組み合わせであっても良い。施錠情報が施錠状態と施錠又は開錠された時間とを含む場合は、例えば次のような施錠情報が書き込まれる。施錠（Ｌｏｃｋ）の場合は、時刻情報と組み合わせて、例えば“０５／０２／０４  １９：３０  Ｌ”という施錠情報が非接触型の記憶装置１０２に書き込まれる。一方、開錠（ＵｎＬｏｃｋ）の場合は、例えば“０５／０２／０４  １９：３０  Ｕ”などの施錠情報が書き込まれる。よって、利用者は、非接触型の記憶装置１０２にアクセスすることにより、扉の施錠状態及び施錠又は開錠動作を行った時間を知ることができる。
【００３６】
このように、非接触型の記憶装置１０２に施錠又は開錠時間だけでなく施錠状態が書き込まれると、ユーザは扉の施錠状態を確実に把握することができる。例えば、利用者が、外出しようとして扉を施錠した直後に忘れ物に気づき再び開錠した場合など、利用者が近接した時間間隔（時刻）において、複数回の施錠、開錠操作を行った際にも、確実に施錠状態を確認することが可能となる。つまり、短時間の間に複数回の施錠及び開錠を行った場合には、施錠又は開錠時間だけでは最終の施錠状態が不明になる場合がある。非接触型の記憶装置１０２が、施錠状態を記憶していることで、ユーザは現在の扉の施錠状態を正確に把握することができる。
【００３７】
（非接触型の記憶装置）
非接触型の記憶装置１０２の例としては、例えばＩＣタグやＩＣタグ機能付き電子ペーパなどがある。以下にこれらについて説明する。
【００３８】
（１）ＩＣタグ
図６は、本実施形態におけるＩＣタグ１０２ａの構成を示す図である。ＩＣタグ１０２ａは、読み取り装置１０５及び施錠情報書込装置１０３との間で信号を送受信するためのアンテナ部１５１と、外部の読み取り装置１０５に対して情報の送信処理を行う送信部１５２と、外部の読み取り装置１０５からの情報を受信する受信部１５３と、施錠情報書込装置１０３から受信した施錠情報や、読み取り装置１０５に対して提供する情報を記憶する記憶部１５４と、ＩＣタグ１０２ａの動作電圧を管理する電源管理部１５５とを含む。図６に示すＩＣタグ１０２ａとしては、電池を内蔵しないパッシブタグを例に挙げている。外部のリーダライタである読み取り装置１０５及び施錠情報書込装置１０３から放射される電磁フィールド内をＩＣタグ１０２ａが通過すると、アンテナ部１５１では誘起電圧が発生する。電源管理部１５５は、この誘起電圧を管理している。なお、電源管理部１５５は、電力供給機能を果たす電池や太陽電池等を備えてもよい。
【００３９】
図７は、ＩＣタグ１０２ａにおける施錠情報の処理手順を示すフローチャートである。
【００４０】
施錠情報書込装置１０３の書込部１２４のハードウェアは、送信アンテナで実現されており扉１０４の外側表面に設けられているものとする。ここで、利用者が施又は開錠の操作を行う場合には、鍵１０１を鍵結合部１１１に差し込んで操作を行う。
【００４１】
ステップＳ２１：鍵１０１に取り付けられたＩＣタグ１０２ａが、扉に設置された書込部１２４である送信アンテナに近接する。その際、ＩＣタグ１０２ａの電源管理部１５５は、アンテナから放射される電磁波を受信することにより起動電力を得る。
【００４２】
ステップＳ２３：受信部１５３は利用者による鍵の動作に応じた施錠情報を受信する。
【００４３】
ステップＳ２５：記憶部１５４は施錠情報を記憶する。
【００４４】
ＩＣタグの読み取り装置１０５を用いて、以上のように施錠情報が書き込まれたＩＣタグ１０２ａにアクセスすることにより、利用者は施錠情報を確認することができる。また、ＩＣタグに施錠情報を書き込むことで、携帯性に優れる。
【００４５】
（２）ＩＣタグ機能付き電子ペーパ
図８は、本実施形態に係るＩＣタグ機能付き電子ペーパの構成を示す図である。ＩＣタグ機能付き電子ペーパ１０２ｂは、図８に示すように施錠情報を表示するための表示部１６０を有している。また、電子ペーパ１０２ｂは、外部の読み取り装置１０５及び施錠情報書込装置１０３と通信処理を行うために必要となるアンテナ１６１、送信部１６２、および受信部１６３と、制御部１６７と、電子ペーパ１０２ｂ全体の電源を管理する電源管理部１６５と、施錠情報書込装置１０３から受信した施錠情報を記憶する記憶部１６４と、表示部１６０を制御する表示画面制御部１６６とから構成される。
【００４６】
次に、ＩＣタグ付き電子ペーパの処理手順について図９を用いて説明する。図９は、電子ペーパ１０２ｂにおける施錠情報の処理手順を示すフローチャートである
ステップＳ３１：鍵１０１に取り付けられたＩＣタグ機能付き電子ペーパ１０２ｂが、扉に設置された書込部１２４である送信アンテナに近接する。その際、ＩＣタグ機能付き電子ペーパ１０２ｂの電源管理部１６５は、アンテナから放射される電磁波を受信することにより起動電力を得る。
【００４７】
ステップＳ３３：受信部１６３は利用者による鍵の動作に応じた施錠情報を受信し、記憶部１６４は施錠情報を記憶する。
【００４８】
ステップＳ３５、Ｓ３７：電源管理部１６５は、主電源を有効（ＯＮ）する。その後、表示画面制御部１６６は、記憶部１６４に記録された施錠情報を表示部１６０に表示する。
【００４９】
ステップＳ３９：表示処理が終わると、電源管理部１６５は主電源を無効化（ＯＦＦ）する。
【００５０】
ここで、電子ペーパは表示内容を変更する時にだけ所定電圧を印加すればよく、一度、表示内容を変更すれば、電力供給を行わなくても変更後の表示内容が定常的に表示され続ける仕組みになっている。
【００５１】
以上のような電子ペーパを用いることにより、利用者は、鍵に取り付けられた電子ペーパの表示部を参照するだけで施錠状態を確認することが可能となる。よって、ＩＣタグ検出機能を有する携帯電話などのＩＣタグの読み取り装置が不要となり、利用者の利便性及び携帯性がさらに向上する。
【００５２】
なお、ＩＣタグ１０２ａ及びＩＣタグ機能付き電子ペーパ１０２ｂへの施錠情報の書き込みの際、施錠情報の書き込みが確実に行われたことを利用者に示す仕組みが備えられていてもよい。例えば、ＩＣタグ１０２ａ及びＩＣタグ機能付き電子ペーパ１０２ｂ、または施錠情報書込装置１０３の扉外側にＬＥＤ等の表示装置、またはスピーカ等の音声装置を備え、施錠動作、開錠動作が行われる度に発光し、または、音を出力しても構わない。さらに、施錠動作時と、開錠動作時を識別するように、発光色や発光タイミング、また、音の内容を区別しても構わないものとする。
【００５３】
以上のようなＩＣタグやＩＣタグ機能付き電子ペーパは、小型及び軽量であり携帯性や操作性に優れる。
【００５４】
（読み取り装置）
次に、ＩＣタグ１０２ａに記憶された施錠情報の読み出しについて説明する。図１０は、本実施形態における読み取り装置の構成図である。図１０では、特にＩＣタグ検出機能付き携帯電話を例に挙げている。
【００５５】
読み取り装置１０５は、通話やメール送受信、インターネットアクセス機能を有する既存の携帯電話において、さらにＩＣタグとの通信機能を有するものである。読み取り装置１０５は、通常の通話用の構成として、スピーカ等の受話部２０２と接続される受信部２０３、マイクなどの通話部２０４と接続される送信部２０５、受信部２０３及び送信部２０５と接続される通話用アンテナ２０１及びダイヤル部２０７を含む。読み取り装置１０５は、さらにＩＣタグとの通信機能に関する構成として、ＩＣタグ１０２ａとの情報通信を行うために必要なＩＣタグ通信用アンテナ２１３、ＩＣタグ送信部２１１、ＩＣタグ受信部２１２、ＩＣタグ１０２ａから取得した施錠情報を記憶する記憶部２０９や、施錠情報を表示する表示部２０８及び制御部２１０を含む。
【００５６】
次に、このような読み取り装置１０５を用いたＩＣタグの読み取り処理について説明する。
【００５７】
図１１は、読み取り装置１０５及びＩＣタグ１０２ａにおけるＩＣタグの読み取り処理を示すフローチャートの一例である。外出先で利用者が施錠状態を確認する際、利用者は読み取り装置１０５をＩＣタグ１０２ａに近づけ、ＩＣタグ１０２ａに記憶された情報の読み取り処理を開始する。
【００５８】
ステップＳ４１：ＩＣタグ１０２ａの電源管理部１５５は、読み取り装置１０５のＩＣタグ送信部２１１及びＩＣタグ通信用アンテナ２１３から放射された電磁波を用いて起動電力を得る。
【００５９】
ステップＳ４３：ＩＣタグ１０２ａの送信部１５２は、内部の記憶部１５４に記憶している施錠情報を読み取り装置１０５に対して送信する。
【００６０】
ステップＳ４５：読み取り装置１０５のＩＣタグ受信部２１２はＩＣタグ１０２ａから施錠情報を受信し、表示部２０８はこの施錠情報を表示する。
【００６１】
これにより、利用者は読み取り装置１０５の画面を参照することによって施錠状態を確認することが可能となる。
【００６２】
（作用効果）
以上のような構成により、利用者の施錠動作に基づいて、施錠情報が自動的に非接触型の記憶装置に記憶される。よって、利用者は出先においても扉の施錠状態を確認することができる。また、検出部はロック部の作動に基づいて扉の施錠又は開錠状態を検出するため、利用者は扉の施錠または開錠を正確に把握することができる。なお、記憶手段に施錠時間だけでなく施錠状態が書き込むと、ユーザは扉の施錠状態を確実に把握することができる。
【００６３】
また、施錠情報を鍵の付属品であるＩＣタグに自動で書き込み、記憶することにより、利用者における携帯性、利便性が向上する。
【００６４】
＜第２実施形態例＞
（全体構成）
図１２は、本発明の第１実施形態例に係る施錠情報書込システムを説明するための説明図である。図１２において、図１〜図１１と同じ構成要素については同じ符号を用い、説明を省略する。
【００６５】
施錠情報書込システム３５０は、施錠情報の書込を行う施錠情報書込装置４０３、施錠情報を記憶する非接触型の記憶装置１０２及び宅内セキュリティ管理装置３０１を含む。宅内セキュリティ管理装置３０１は、宅内の各種セキュリティ情報（照明やエアコンを代表とする家電機器の動作状況や、ガス栓、水道栓の開閉状況を示す情報）を管理しており、その管理対象となる照明装置３０２、エアコン３０３、ガス栓開閉センサ３０４、水道栓開閉センサ３０５及び窓開閉センサ３０６等と接続されている。
【００６６】
第２実施形態例では、扉の施錠履歴情報だけでなく、宅内の照明やエアコンの動作状態、ガス栓や水道栓、窓の開閉状態等を非接触型の記憶装置１０２に書き込む。これにより、利用者は施錠状態だけでなく、家の状態を外出先で確認することができる。よって、防犯や防災に関してより有益なシステムを提供することができる。
【００６７】
（施錠情報書込装置の機能構成）
図１３は、施錠情報書込装置４０３の機能構成を示すブロック図である。図１３に示す施錠情報書込装置４０３は、第１実施形態の施錠情報書込装置１０３にさらに宅内セキュリティ情報取得部３２０を含む。
【００６８】
宅内セキュリティ情報取得部３２０は、鍵１０１の施錠動作が検出されると、外部の宅内セキュリティ管理装置３０１に接続し、宅内機器のセキュリティ情報を取得する。制御部１２３は、宅内のセキュリティ情報を施錠情報とともに書込部１２４に送信し、書込部１２４は非接触型の記憶装置１０２にそれらの情報を書き込む。よって、非接触型の記憶装置１０２は、施錠情報及び宅内のセキュリティ情報を記憶する。第１実施形態例と同様に、非接触型の記憶装置１０２に記録された情報は、ＩＣタグ検出機能付き携帯電話等で読み取ることが可能である。よって、利用者は宅内のセキュリティ情報を戸外で確認することが可能となる。
【００６９】
施錠情報及び宅内のセキュリティ情報の書込処理については、第１実施形態例と同様であるので説明を省略する。
【００７０】
（宅内セキュリティ管理装置）
次に、宅内セキュリティ管理装置３０１の動作について説明する。宅内セキュリティ管理装置３０１は、接続されている宅内の設備と通信を行い、前記設備の動作状況等を収集し管理する。例えば、図１２に示す照明装置３０２は、照明のＯＮ／ＯＦＦを状態として管理している。エアコン３０３は、エアコンの動作状態（動作／静止、または電源ＯＮ／ＯＦＦ）を管理している。ガス栓開閉センサ３０４、水道栓開閉センサ３０５は、ガス栓の開閉状態、または水道栓（水道蛇口）の開閉状態を管理している。さらに窓開閉センサ３０６は、窓の施錠有無を状態として管理する。これら宅内の設備は、宅内セキュリティ管理装置３０１からのネットワークを介した問い合わせに応じて、自設備の状態を宅内セキュリティ管理装置３０１に送信する。セキュリティ管理装置３０１は、これらの宅内の設備の情報を宅内のセキュリティ情報として管理する。また、宅内セキュリティ管理装置３０１は、施錠情報書込装置４０３からネットワークを介して、セキュリティ情報要求信号を受信すると、宅内のセキュリティ情報を施錠情報書込装置４０３へ送信する。
【００７１】
図１４に、宅内セキュリティ管理装置３０１が収集、管理する宅内セキュリティ情報の一例を示す。同図（ａ）は、セキュリティ情報のビットフィールドを示している。本実施例においては、管理対象設備数を８、それぞれの状態を１ビットで表現している。また、同図（ｂ）は、各設備の状態とビットの対応表を示すものである。ある時刻に収集されたセキュリティ情報が（ａ）の状態である場合、窓＃１のフィールドが１であることから、窓＃１が施錠されていないことが分かる。利用者は、ＩＣタグに記録されたこれらの情報を携帯端末で読み取ることによって、宅内設備の状況を確認することが可能となる。
【００７２】
本実施の形態において、鍵１０１の付属品である非接触型の記憶装置及び読み取り装置１０５の構造に関しては、第１実施形態例と同様であるため説明を省略する。
【００７３】
また、ＩＣタグ、または扉側設備（ＩＣタグ制御信号発生装置）にＬＥＤやブザー等を設置しておき、宅内セキュリティ情報のうち、１つ以上、または特定のビットが１である場合にＬＥＤを点滅させたり、ブザー音を発したりすることによって、利用者に施錠確認を促すようにしてもよい。
【００７４】
（作用効果）
かかる構成によれば、玄関扉の施錠状態ばかりでなく、利用者宅の宅内設備の状況について外出先で確認することが可能となり、防犯、防災の観点から、利用者に対して安心感を提供することができる。
【００７５】
（その他の実施形態例）
なお、本実施の形態においては、図１等に示すように鍵１０１の付属品としてキーホルダ形状の非接触型の記憶装置を設けている。しかし、例えば図１５（ａ）に示すように、鍵１０１とＩＣタグ等の非接触型の記憶装置１０２とが一体であっても良いし、あるいは図１５（ｂ）に示すように非接触型の記憶装置１０２が鍵１０１から着脱可能であっても構わない。図１５（ａ）では、非接触型の記憶装置１０２は鍵１０１に貼り付けられており、鍵１０１と非接触型の記憶装置１０２とが一体となっている。一方、図１５（ｂ）では、非接触型の記憶装置１０２が鍵カバー５００に取り付けられており、鍵カバー５００は鍵１０１に対して取り外し可能である。よって、非接触型の記憶装置１０２は鍵１０１に対して着脱可能となっている。
【００７６】
さらに、本発明の非接触型の記憶部は、携帯電話内蔵のＩＣタグであっても同様の効果が得られる。すなわち、施錠情報を携帯電話に内蔵されたＩＣタグに記録しても構わない。
【００７７】
また、本実施の形態においては施錠履歴を記録する媒体としてＩＣタグ等の非接触型の記憶装置を記載しているが、非接触に限定せず、ＩＣカードのように、接触型で電気的な記憶手段を有するものであっても構わない。
【００７８】
また、本実施の形態においては、既存の扉側設備の変更に関する工数を少なくする目的のために、書込部１２４である送信アンテナ等を扉表面に設けるが、扉を加工し、それらを扉内部、または扉外部（戸外側）に設置しても構わない。また、ＩＣタグは、複数の操作履歴情報を書き込み可能とし、携帯電話にて複数の履歴情報を参照可能としても構わない。
【産業上の利用可能性】
【００７９】
本発明の施錠情報書込装置は、利用者の施錠（開錠）動作を自動検出し、その施錠情報を自動的に記憶部に書き込む。よって、利用者が外出先で施錠状態を簡単に確認する方法として有用である。
【図面の簡単な説明】
【００８０】
【図１】本発明の第１実施形態例に係る施錠情報書込システムを説明するための説明図。
【図２】施錠情報書込装置１０３による施錠情報の検出及び書込を説明するための説明図。
【図３】施錠情報書込装置１０３の機能構成を示すブロック図。
【図４】施錠状態検出部の具体例を示す説明図。
【図５】第１実施形態例に係る施錠情報書込装置における施錠情報の書込処理を示すフローチャートの一例。
【図６】本実施形態におけるＩＣタグ１０２ａの構成を示す図。
【図７】ＩＣタグ１０２ａにおける施錠情報の処理手順を示すフローチャートの一例。
【図８】本実施形態に係るＩＣタグ機能付き電子ペーパの構成を示す図。
【図９】電子ペーパ１０２ｂにおける施錠情報の処理手順を示すフローチャート。
【図１０】本実施形態における読み取り装置の構成図。
【図１１】読み取り装置１０５及びＩＣタグ１０２ａにおけるＩＣタグの読み取り処理を示すフローチャートの一例。
【図１２】本発明の第１実施形態例に係る施錠情報書込システムを説明するための説明図。
【図１３】施錠情報書込装置４０３の機能構成を示すブロック図。
【図１４】宅内セキュリティ管理装置３０１が収集、管理する宅内セキュリティ情報の一例。
【図１５】（ａ）鍵１０１と非接触型の記憶装置１０２とが一体であることを示す説明図。（ｂ）接触型の記憶部１０２が鍵１０１に対して着脱可能であることを示す説明図。
【図１６】前記特許文献１に記載された鍵収納ケースの概要を示す図。
【符号の説明】
【００８１】
１０１：鍵
１０２：非接触型の記憶装置
１０３：施錠情報書込装置
１０４：扉
１０５：読み取り装置
１１３：ロックバー
１２１：施錠状態検出部
１２２：時刻情報管理部
１２４：書込部
１３１：磁石
１３３：コイル
１３５：電流検出部
３０１：宅内セキュリティ管理装置
３２０：宅内セキュリティ情報取得部
【図１】
2007002449.tif 000003
【図２】
2007002449.tif 000004
【図３】
2007002449.tif 000005
【図４】
2007002449.tif 000006
【図５】
2007002449.tif 000007
【図６】
2007002449.tif 000008
【図７】
2007002449.tif 000009
【図８】
2007002449.tif 000010
【図９】
2007002449.tif 000011
【図１０】
2007002449.tif 000012
【図１１】
2007002449.tif 000013
【図１２】
2007002449.tif 000014
【図１３】
2007002449.tif 000015
【図１４】
2007002449.tif 000016
【図１５】
2007002449.tif 000017
【図１６】
2007002449.tif 000018